(57)【特許請求の範囲】
【請求項１】
トランクルームの収納室の上面を覆うための一体成形によって形成された車両用デッキボードであって、
車両の左右方向である第一方向に沿って形成された第一ヒンジ部と、前記第一方向と直交する第二方向に沿って形成された左右二つの第二ヒンジ部とを有し、
前記第一ヒンジ部の後方に後の蓋部を、そして前方に前の蓋部を有し、前記右の第二ヒンジ部の右側に右の蓋部を、そして左の第二ヒンジ部の左側に左の蓋部を有し、  前記前の蓋部と前記左右の蓋部との間にスリットが形成されており、
前記前の蓋部の前端側全体にわたって切除された切欠き部が形成されていることを特徴とする車両用デッキボード。  
【請求項２】
前記第一ヒンジ部は前後二本形成され、該二本の第一ヒンジ部の中間部は幅狭にされ、後方の第一ヒンジ部の後方に前記後の蓋部を、そして前方の第一ヒンジ部の前方に前記前の蓋部を有し、
該幅狭の中間部はトランクルームの区画上面に連結され位置的に拘束されて、該中間部の両側に存在する各蓋部の回動基部とされていることを特徴とする、請求項１記載の車両用デッキボード。  
【請求項３】
前記第一ヒンジ部と前記第二ヒンジ部とにより区画される複数の中空部を備え、該中空部をブロー成形によって形成したことを特徴とする、請求項１又は２記載の車両用デッキボード。
【請求項４】
前記第一ヒンジ部及び第二ヒンジ部の一方又は両方に、それらを補強するための補強芯材が併設されたことを特徴とする、請求項１〜３のいずれか１項記載の車両用デッキボード。
【請求項５】
前記第一ヒンジ部及び第二ヒンジ部は、Ｖ字状の溝により薄板状に形成されていることを特徴とする、請求項１〜４のいずれか１項記載の車両用デッキボード。
【発明の詳細な説明】
【技術分野】
【０００１】
本発明は、収納室の上面を覆うための車両用デッキボードに関する。
より詳しくは、蓋部が多数形成され、蓋部を開閉する自由度の高い車両用デッキボードに関する。
【背景技術】
【０００２】
従来から、自動車のトランクルームの底部には、工具やタイヤ等の大小の備品等を収納するための収納室が設けられている。
そして、この収納室は底部を有しその開口部にはそれを覆うように車両用デッキボードが備わっており、いわゆる扉型の蓋体を形成している。
【０００３】
この収納室は、その区分に応じて開閉できるように、デッキボードを横断するような直線状のヒンジ部を設けて分割状の蓋部を形成することが行われている（例えば、特許文献１参照）。
従って、デッキボードを直線状のヒンジの部分を起点として自由に開閉することができる利点がある。
しかし、ヒンジ部はデッキボードを横断するように直線状に形成されていることから、ヒンジ部を境として両蓋側に荷物等が載置されている場合には、その荷物が支障となり開けることができない。
そのために蓋上の荷物等を取り除いてから開かなくてはならず面倒である。
【０００４】
すなわち  具体的には、例えばヒンジ部が自動車の前後方向（幅方向）に沿って形成されているデッキボードの場合、荷物の置き具合によっては、その荷物を自動車の前後方向に沿って移動させて、一方の蓋の方に片寄せするか或いはデッキボードから他へ場所へ置き直す必要がある。
このようにデッキボードを開く際に、その上に載置された荷物等により開ける際の方向性に制限を受ける問題点があった。
【０００５】
【特許文献１】特開平９−７６９５３号公報
【発明の開示】
【発明が解決しようとする課題】
【０００６】
本発明は、このような問題点を解決するものである。
すなわち、本発明の目的は、車内においてデッキボードを開く際に、その上に載置された荷物等による制限を受けることが極力少ない車両用デッキボードを提供することにある。
【課題を解決するための手段】
【０００７】
本発明者は、このような技術的課題背景に対して鋭意研究を重ねた結果、意外にもヒンジ部が形成される方向を一方向に限定せず、二方向にすることにより、上記の問題点を解決することができることを見出し、この知見に基づいて本発明を完成させたものである。
【０００８】
すなわち、本発明は、（１）、トランクルームの収納室の上面を覆うための一体成形によって形成された車両用デッキボードであって、車両の左右方向である第一方向に沿って形成された第一ヒンジ部と、前記第一方向と直交する第二方向に沿って形成された左右二つの第二ヒンジ部とを有し、前記第一ヒンジ部の後方に後の蓋部を、そして前方に前の蓋部を有し、前記右の第二ヒンジ部の右側に右の蓋部を、そして左の第二ヒンジ部の左側に左の蓋部を有し、前記前の蓋部と前記左右の蓋部との間にスリットが形成されており、前記前の蓋部の前端側全体にわたって切除された切欠き部が形成されている車両用デッキボードに存する。  
【０００９】
すなわち、本発明は、（２）、前記第一ヒンジ部は前後二本形成され、該二本の第一ヒンジ部の中間部は幅狭にされ、後方の第一ヒンジ部の後方に前記後の蓋部を、そして前方の第一ヒンジ部の前方に前記前の蓋部を有し、該幅狭の中間部はトランクルームの区画上面に連結され位置的に拘束されて、該中間部の両側に存在する各蓋部の回動基部とされている上記（１）記載の車両用デッキボードに存する。
【００１０】
すなわち、本発明は、（３）、前記第一ヒンジ部と前記第二ヒンジ部とにより区画される複数の中空部を備え、該中空部をブロー成形によって形成した上記（１）又は（２）に記載の車両用デッキボードに存する。
【００１３】
すなわち、本発明は、（４）、前記第一ヒンジ部及び第二ヒンジ部の一方又は両方に、それらを補強するための補強芯材が併設された上記（１）〜（３）のいずれか１に記載の車両用デッキボードに存する。
すなわち、本発明は、（５）、前記第一ヒンジ部及び第二ヒンジ部は、Ｖ字状の溝により薄板状に形成されている上記（１）〜（４）のいずれか１に記載の車両用デッキボードに存する。
【００１４】
なお、本発明の目的に添ったものであれば、上記発明を適宜組み合わせた構成も採用可能である。
【発明の効果】
【００１５】
本発明によれば、第一方向に沿って形成された第一ヒンジ部と、該第一方向と直交する第二方向に沿って形成された第二ヒンジ部と、を有するので、自動車の前後方向（長さ方向）に沿ったヒンジ部と幅方向に沿ったヒンジ部との両方を適宜選択的に利用して蓋部を開けることができる。
そのため、デッキボードの開閉方向の自由度が増し、荷物等がデッキボードの上に載置されていても、それを避けて蓋部を開閉することができる。
また収納されている備品等を出し入れする際にも、極めて有効である。
【発明を実施するための最良の形態】
【００１６】
以下、本発明を実施するための最良の形態を図面を用いて説明する。
図１（ａ）ないし図１（ｅ）は本発明の実施形態に係る車両用のデッキボードを原理的に説明する図である。
これらのデッキボード１は、先述したように収納室の上面を覆うためのものであり、通常、収納室の開口部の形状に合わせて作られている。
図１（ａ）のデッキボード１は、第一方向（図中、水平方向）に沿って形成された第一ヒンジ部Ｈ１と、第一方向と直交する第二方向（図中、垂直方向）に沿って形成された第二ヒンジ部Ｖ１と、を有する。
この場合、一方の第一ヒンジ部Ｈ１は、デッキボード１の中央に水平方向に形成され、また他方の第二ヒンジ部Ｖ１は、デッキボード１の中央に垂直方向に形成されている。
【００１７】
図１（ｂ）のデッキボード１は、図１（ａ）と比べて、第二ヒンジ部Ｖ１がデッキボード１の端部側に偏っている点で異なっている。
また図１（ｃ）の車両用デッキボード１は、図１（ｂ）の第二ヒンジ部Ｖ１がデッキボード１の両端側に形成されたものである。
図１（ｄ）のデッキボード１は、第一方向（図中、対角線方向）に沿って形成された第一ヒンジ部Ｈ１と、第一方向と直交する第二方向に沿って形成された第二ヒンジ部Ｖ１と、を有することで図（ａ）〜図（ｃ）と同じである。
しかしヒンジ部がデッキボードの両辺とは同じ方向ではなく角度付けされている点に特徴がある。
【００１８】
図１（ｅ）は、図１（ｃ）と比べて第一ヒンジ部Ｈ１，Ｈ２が二本形成されている点が異なり、該二本の第一ヒンジ部Ｈ１，Ｈ２間の中間部は幅狭にされ、該幅狭の中間部は、該幅狭の中間部の両側に存在する蓋部５Ａ，５Ｂの固定基部となっている。
次に、図１（ｅ）のデッキボード１の例について更に詳しく述べる。
図２（ａ）及び図２（ｂ）は、図１（ｅ）のデッキボード１における蓋部５Ａ，５Ｂを実際に回動させた状態を説明する図である。
【００１９】
図２（ａ）は、蓋部５Ｂを第一ヒンジ部Ｈ２を中心に矢印方向に回動させて開いた状態を示しており、この蓋部５Ｂは、図２（ａ）に示すように、蓋部５Ａの上に重ねるように載せられる。
一方、図２（ｂ）は、蓋部５Ａを第一ヒンジ部Ｈ１を中心に矢印方向に回動させて開いた状態を示しており、この蓋部５Ａは、図２（ｂ）に示すように、蓋部５Ｂの上に重ねるように載せられる。
【００２０】
図２（ｃ）及び図２（ｄ）は、図１（ｅ）のデッキボード１における蓋部５Ｃ，５Ｄを実際に回動させた状態を説明する図である。
図２（ｃ）は、第二ヒンジ部Ｖ２を中心に蓋部５Ｃを回動させて開いた状態を示しており、この蓋部５Ｃが蓋部５Ａ及び蓋部５Ｂの上に跨がって重なるように載せられる。
一方、図２（ｄ）は、第二ヒンジ部Ｖ１を中心に蓋部５Ｄを回動させて開いた状態を示しており、同様に、蓋部５Ｄが蓋部５Ａ及び蓋部５Ｂの上に跨がって重なるように載せられる。
以上のように、直交する二つの方向に形成された各々ヒンジ部により、蓋部を開く際の自由度が大きく増えることが理解できる。
【００２１】
図３は、本発明の一実施形態に係る車両用デッキボードを含む自動車を示している。
この実施形態の車両用のデッキボード１は、通常、トランクルームの底部に設けられている。
このデッキボード１はトランクルームの底部に形成された収納室Ｔの上面を覆うためのものであり、車の幅方向に横長形状にされている。
【００２２】
収納室Ｔは図４に示すような形態をしており、収納室にデッキボート１を覆うように載置した場合、図中、ハッチングを施した部分（区画上面）がデッキボート１を支える部分となり、それ以外の白抜きの領域は収納空間である。
そして、収納室Ｔに載置されたデッキボード１を上方から視ると、図５に示すようになる。
【００２３】
因みに、図５のデッキボード１は、原則として前述した図２のデッキボード１の構造を有するものである。
このデッキボード１は第一方向に沿って形成された二本の第一ヒンジ部Ｈ１，Ｈ２と、その第一方向と直交する第二方向に沿って形成された第二ヒンジ部Ｖ１，Ｖ２とを有している。
特に第二ヒンジ部Ｖ１，Ｖ２の一端には同一直線上にスリットＳ１，Ｓ２が一定長さ形成されている。
【００２４】
このようにスリットＳ１，Ｓ２を形成しても、図６に示すように第二ヒンジ部Ｖ１，Ｖ２が存在するので扉部５Ｃ，５Ｄを問題なく開閉することができる。
スリットＳ１，Ｓ２の存在により、トランクルームの左右端側に設けられた蓋部５Ｃ及び蓋部５Ｄは閉じた状態のまま、蓋部５Ｂを自由に開くことができる。
【００２５】
なお、この蓋部５Ｂの開閉は、デッキボード１の前端側に幅広の切欠き部１ａが形成されているので、手を挿入し易く操作し易い。
【００２６】
また、デッキボード１には、その比較的大きい蓋部５Ａの後端側に窪み２ａが付いた取手２が形成されており、把持し易いようになっている。
この取手２を把持して蓋部５Ａを持ち上げると、図７に示す蓋部５Ａが第一ヒンジ部Ｈ２を中心に回動して開き蓋部５Ｂの上に重なって載る。
【００２７】
さて図８は、デッキボード１を示す斜視図である。
図に示すように、第一ヒンジ部Ｈ１，Ｈ２と第二ヒンジ部Ｖ１，Ｖ２とは、一定厚みを有するデッキボード本体１１の一部がＶ字状の溝により薄板状になるように形成されている。
【００２８】
このデッキボード本体１１上には、表皮シート３が貼着されており、表面の特性や意匠性を発揮している。
なお、この表皮シート３の材質としては、例えば、合成繊維等からなる織物、編物又は不織布や、また可撓性のある合成樹脂シートが採用される。
【００２９】
図９は、図８のIX−IX線に沿う断面を拡大して示している。
図に示すように、デッキボード本体１１には、例えばブロー成形により中空部Ｃが形成されている。
【００３０】
図に示す中空部Ｃは、二本の第一ヒンジ部Ｈ１，Ｈ２により区画されているが、第一ヒンジ部Ｈ１，Ｈ２と直交する図示しない第二ヒンジ部Ｖ１，Ｖ２によっても区画されている。
該二本の第一ヒンジ部Ｈ１，Ｈ２間の中間部４は幅狭にされ、該幅狭の中間部４は、その両側に存在する蓋部５Ａ，５Ｂの固定基部となる。
また、この中間部４は、デッキボード１の取付け安定性向上の観点からトランクルームの区画上面に連結され位置的に拘束されている。
【００３１】
そして、この蓋部５Ａ，５Ｂの中間部４の両端に形成された第一ヒンジ部Ｈ１，Ｈ２を中心として、蓋部５Ａ，５Ｂを回動させて開けると、例えば図１０に示すようになる。
このように二枚の蓋部５Ａ，５Ｂが開閉するので、収納室Ｔの前側からでも後側からでも備品等の収納物を出し入れすることができる。
また、蓋部５Ａ，５Ｂの開き方向と直交する方向にも図示しない蓋部５Ｃ，５Ｄを開くことができるために、同様に、収納室Ｔの左右両方向（自動車の幅方向）からでも備品等の収納室内への出し入れが可能である。
このように、蓋部の開く操作に自由度が多くなり、収納室内への備品等の出し入れが容易となる。
【００３２】
なお、図９に拡大して示す部分は、デッキボード本体１１の後端側の表面側には段差部１１ａが形成されていることを示す。
このように段差部１１ａを形成しておくと、表皮シート３が極力剥がれにくくなる効果がある。
【００３３】
次に、参考までにデッキボード１の成形方法について述べると、図１１は、ブロー成形法を用いてデッキボード１を形成する場合の、型閉前の状態を示している。
図に示す金型は分割金型であり、表面側の金型６Ａと裏面側の金型６Ｂとを有しており、裏面側の金型６Ｂには、二本のレール状の突起部６Ｂｂが形成されている。
【００３４】
また、金型６Ａ，６Ｂの縁部には突起６Ｂａと凹部６Ａａとが形成されており、この突起６Ｂａと凹部６Ａａとにより金型６Ａ，６Ｂ相互の位置決めが正確に行われる。
【００３５】
デッキボード１をブロー成形するに当たっては、一方の金型６Ａと他方の金型６Ｂとの間にパリソン７を押出ヘッド８を用いて垂下させると共に、パリソン７と金型６Ａとの間に表皮シート３を配置する。
次いで、常法により、型締めしてパリソン７内に加圧流体を導入し、パリソン７をキャビティー面に対して押圧する。
【００３６】
突起６Ｂａが形成された部分には、第一ヒンジ部Ｈ１，Ｈ２が形成され、また図示しない別の突起により第一ヒンジ部Ｈ１，Ｈ２と直交する方向の第二ヒンジ部Ｖ１，Ｖ２が形成される。
このことにより、第一ヒンジ部Ｈ１，Ｈ２や第二ヒンジ部Ｖ１，Ｖ２において、その肉部がデッキボード１の一方表面側に片寄って形成される。
そのため互いに直交する方向の第一ヒンジ部Ｈ１，Ｈ２と第二ヒンジ部Ｖ１，Ｖ２とは、簡単に且つ同じ力で対等に折り曲げることができる。
なおパリソン７の材質を選ぶことによりデッキボード１の強度、耐久性、性状等を変えることができる。
【００３７】
材質としては、熱可塑性樹脂が好ましく、例えば、アクリル系樹脂、ポリアミド系樹脂、ポリナフタレンテレフタレート（ＰＥＮ）樹脂等のポリエステル系樹脂、ポリエチレン系樹脂、ポリカーボネート系樹脂、ポリスチレン系樹脂、ポリプロピレン系樹脂、メタクリル系樹脂、アクリロニトリル・ブタジエン・スチレン（ＡＢＳ）樹脂、アクリロニトリル・スチレン（ＡＳ）樹脂、ポリ塩化ビニリデン樹脂、ポリ塩化ビニル樹脂、ポリビニルアルコール樹脂、ポリブチレンテレフタレート（ＰＢＴ）樹脂及びこれらの樹脂をブレンドした樹脂が使用される。
【００３８】
また、パリソン７には、適宜、無機充填材、紫外線吸収剤、光安定剤、帯電防止剤、可塑剤、難燃剤、着色剤、酸化防止剤、気泡調整剤及び流動性向上剤等の各種添加剤を必要に応じて添加しておくことが行われる。
【００３９】
上述した実施形態では、第一方向に沿って形成された第一ヒンジ部Ｈ１，Ｈ２と、該第一方向と直交する第二方向に沿って形成された第二ヒンジ部Ｖ１，Ｖ２と、を有するので、自動車の長さ方向に沿ったヒンジ部と幅方向に沿ったヒンジ部との両方を適宜選択的に利用して各蓋部を開けることができる。
そのため、デッキボード１の開閉方向の自由度が増し、デッキボード１の上に荷物が載置されている場合、或いは収納室から備品等を取り出す場合に極めて便利である。
【００４０】
以上、本発明を説明してきたが、本発明は上述した実施形態にのみ限定されるものではなく、その本質を逸脱しない範囲で、種々の変形が可能であることはいうまでもない。
例えば、上述した実施形態では、デッキボード１を自動車のトランクルームの底部に設けた例について説明したが、本発明の車両用デッキボードの用途はこれに限定されることはない。
例えば、ハッチバック式の自動車に対するカーゴフロアに設けても良いし、自動車に限らず、電車等の他の車両に用いても当然良い。
【００４１】
また、上述した実施形態では、収納室を覆う部分として、蓋部５Ａ，５Ｂを第一及び第二ヒンジ部Ｈ１，Ｈ２，Ｖ１，Ｖ２を中心に扉を開くようにして回動させる使用例について説明したが、図１２に示すように逆に折り畳むような使用方法も可能である。
【００４２】
更に、上述した実施形態では、第二ヒンジ部Ｖ１，Ｖ２の一端に同一直線上にスリットＳ１，Ｓ２を連続して形成した例について説明したが、第一ヒンジ部Ｈ１，Ｈ２に形成しても当然良い。
このスリットの形成の仕方により、独立して開く蓋部の数が増える利点がある。
【００４３】
また、上述した実施形態の第一及び第二ヒンジ部Ｈ１，Ｈ２，Ｖ１，Ｖ２を補強するために、第一及び第二ヒンジ部Ｈ１，Ｈ２，Ｖ１，Ｖ２に、例えば図１３に示すような形で、補強用芯材９を併設しても良い。
この補強用芯材９はヒンジ部から突出状に一体に形成するものであってもよい。
このようにすれば、第一及び第二ヒンジ部Ｈ１，Ｈ２，Ｖ１，Ｖ２に大きな負荷をかけても、耐久性が向上して容易には損傷しない。
なお、直交する方向のヒンジ部の部分では、その一方のヒンジ部のみに、補強用芯材９を設けることが好ましい。
【００４４】
更に、上述した実施形態では、二本の第一ヒンジ部Ｈ１，Ｈ２の間に幅狭の中間部４を設け位置的に拘束した例について説明したが、第二ヒンジ部にも幅狭の中間部を設け位置的に拘束しても良い。
【図面の簡単な説明】
【００４５】
【図１】図１は、本発明の実施形態に係る車両用デッキボードを原理的に示す説明図であり、（ａ）ないし（ｃ）は第一ヒンジ部及び第二ヒンジ部がそれぞれ長方形のデッキボードの長辺方向及び長辺方向と直交する方向に形成された状態、（ｄ）は第一ヒンジ部が長方形のデッキボードの対角線上に形成された状態、及び（ｅ）は（ｃ）と比べて第一ヒンジ部が狭い間隔を置いて二本形成された状態を示している。
【図２】図２は、デッキボードに形成された各蓋部を回動させた状態を説明する図であり、（ａ）及び（ｂ）は第一ヒンジ部を中心に回動させた状態、（ｃ）及び（ｄ）は第二ヒンジ部を中心に回動させた状態を示している。
【図３】図３は、本発明の一実施形態に係る車両用デッキボードを含む自動車を示す説明図である。
【図４】図４は、本発明の一実施形態に係る車両用デッキボードが載置される収納室を示す説明図である。
【図５】図５は、図３のデッキボードを上方から視た場合の形態を示す説明図である。
【図６】図６は、図３のデッキボードを上方から視た場合の形態を示す説明図である。
【図７】図７は、図３のデッキボードを上方から視た場合の形態を示す説明図である。
【図８】図８は、図３のデッキボードを示す斜視図である。
【図９】図９は、図８のIX−IX線に沿う断面を示す説明図である。
【図１０】図１０は、蓋部をヒンジ部を中心に回動させた形態を示す説明図である。
【図１１】図１１は、ブロー成形法を用いてデッキボードを形成する場合の、型閉前の状態を示す説明図である。
【図１２】図１２は、蓋部の開閉構造の変形例を示す説明図である。
【図１３】図１３は、図９のデッキボードの第一ヒンジ部を補強用芯材で補強した状態を示す説明図である。
【符号の説明】
【００４６】
１  デッキボード
１ａ  切欠き部
１１  デッキボード本体
１１ａ  段差部
２  取手
２ａ  窪み
３  表皮シート
４  中間部
５Ａ，５Ｂ，５Ｃ，５Ｄ  蓋部
６Ａ，６Ｂ  金型
６Ａａ  凹部
６Ａｂ  キャビティー面
６Ｂａ  突起
６Ｂｂ  突起部
７  パリソン
８  押出ヘッド
９  補強用芯材
Ｃ  中空部
Ｈ１，Ｈ２  第一ヒンジ部
Ｓ１，Ｓ２，Ｓ３  スリット
Ｔ  収納室
Ｖ１，Ｖ２  第二ヒンジ部
【図１】
0004704198.tif 000002
【図２】
0004704198.tif 000003
【図３】
0004704198.tif 000004
【図４】
0004704198.tif 000005
【図５】
0004704198.tif 000006
【図６】
0004704198.tif 000007
【図７】
0004704198.tif 000008
【図８】
0004704198.tif 000009
【図９】
0004704198.tif 000010
【図１０】
0004704198.tif 000011
【図１１】
0004704198.tif 000012
【図１２】
0004704198.tif 000013
【図１３】
0004704198.tif 000014